(57)【要約】【課題】  風防の内部への空気の流れをできるだけ防止し、さらに計量皿の載置面の中央部に被測定物を載置するために、測定者の手が風防の内部へ入ることを防止することにより、風防の内部の雰囲気状態が安定化されるまでに必要とされる時間を短くすることができる電子天秤の提供。【解決手段】  風防２０の内部に大計量皿１４０ｂが配置される電子天秤１であって、大計量皿１４０ｂの載置面の面積より小さい面積の載置面を有する小計量皿４０ｂを備え、側壁３０には、大開口部の面積より小さい面積の小開口部２２ｂと小開口部２２ｂを開閉可能とする小開口部開閉部材５０とが形成されているとともに、小計量皿４０ｂは、風防２０の内部で小開口部２２ｂ近傍に配置されるように連結部材４０ｃを介して取付部４０ａを有する。【選択図】図１
2010243288.tif 000002
【特許請求の範囲】
【請求項１】
上壁と当該上壁の周縁部から下方に向かって下設された側壁とを有し、当該側壁には大開口部と当該大開口部を開閉可能とする大開口部開閉部材とが形成されている風防と、
秤量機構を有する電子天秤本体と、
被測定物が載置される載置面を有する大計量皿と、前記電子天秤本体の上面と着脱可能とする取付部とを有する取付部付大計量皿と、
前記風防が上方から電子天秤本体に載置されることにより、前記風防の内部に大計量皿が配置される電子天秤であって、
大計量皿の載置面の面積より小さい面積の載置面を有する小計量皿を備え、
前記側壁には、大開口部の面積より小さい面積の小開口部と当該小開口部を開閉可能とする小開口部開閉部材とが形成されているとともに、
前記小計量皿は、前記風防の内部で小開口部近傍に配置されるように連結部材を介して取付部を有することを特徴とする電子天秤。
【請求項２】
前記小計量皿の載置面の面積は、前記大計量皿の載置面の面積の１／２以下であるとともに、前記小開口部の面積は、前記大開口部の面積の１／２以下であることを特徴とする請求項１に記載の電子天秤。
【請求項３】
前記小開口部は、前記大開口部開閉部材に形成されていることを特徴とする請求項１又は請求項２に記載の電子天秤。
【請求項４】
前記上壁は四角形であり、前記側壁は前側壁と後側壁と右側壁と左側壁とを有し、
前記右側壁に、前記大開口部と大開口部開閉部材とが形成されていることを特徴とする請求項１〜請求項３のいずれかに記載の電子天秤。
【発明の詳細な説明】
【技術分野】
【０００１】
本発明は、気流の影響を防止する風防を備える電子天秤に関する。
【背景技術】
【０００２】
実験室では、粉体等の被測定物を計量するために、電子天秤が使用されている。このとき、測定者は、電子天秤の上面に形成された計量皿の載置面に、へら若しくはスプーン（スパチュラ）を用いて被測定物を載置していきながら、表示された測定結果を確認することで、目的重量の被測定物を得ている。
ところで、薬品工業や化学工業等の実験室では、多量の被測定物を計量したり、少量（例えば、０．１ｍｇ）の被測定物を計量したりするように、様々な量の被測定物を計量することになる。このとき、少量の被測定物を計量する際には、微量の秤量が極めて重要となる。しかし、扉開閉により秤量室内の気流が不安定になり、計量値の安定に時間がかかる。特に、空調から吹き出される気流の影響を受ける場所で、被測定物を計量する場合には、空調の気流による計量皿のゆれ（振動）が生じるので、表示される測定結果がいつまでたっても大きくなったり小さくなったりするように変動する。
【０００３】
そこで、気流の影響を防止するための風防を備える電子天秤が開示されている（例えば、特許文献１参照）。図５は、風防を備える電子天秤の一例を示す平面図であり、図６及び図７は、図５に示す側面図であり、図８は、図５に示すＢ−Ｂ線の断面図である。
電子天秤１０１は、秤量機構等を有する電子天秤本体１１０と、被測定物が載置される取付部付計量皿１４０と、気流の影響を防止する風防１２０とを備える。
電子天秤本体１１０は、扁平なハウジング１１０ａと、ハウジング１１０ａの上面の前部側に設けられたパネル部１１０ｂと、ハウジング１１０ａの上面の中央部に設けられた円錐形状の凸部１１０ｃと、ハウジング１１０ａの内部に収納された秤量機構（図示せず）とを備える。
取付部付計量皿１４０は、上方から視ると直径Ｄｄ（例えば、８〜９ｃｍ）の円形状の載置面を有する計量皿１４０ｂと、計量皿１４０ｂの下面の中央部に形成された孔を有する取付部１４０ａとを有する。これにより、取付部付計量皿１４０は、電子天秤本体１１０の凸部１１０ｃが取付部１４０ａの孔に挿入されることにより、電子天秤本体１１０の上面に取り付けられるようになっている。
【０００４】
風防１２０は、ガラス製の四角形の前側壁３０ａと、ガラス、金属又はプラスチック製の四角形の後側壁３０ｂと、前側壁３０ａの四隅と後側壁３０ｂの四隅との間で互いに平行に形成された四本のガイド柱部３０ｃとを有する枠体（側壁）３０と、ガラス製の四角形の上側開口部開閉部材２１と、ガラス製の四角形の右側開口部開閉部材１２２と、ガラス製の四角形の左側開口部開閉部材２３とを有する。
４本のガイド柱部３０ｃには、上側開口部開閉部材２１と右側開口部開閉部材１２２と左側開口部開閉部材２３とを前後方向にスライドさせることができる溝が形成されており、この溝に、上側開口部開閉部材２１の左右端部が挿入されることで、上側開口部開閉部材２１が前後方向に移動可能となるように枠体３０の上面に取り付けられ、右側開口部開閉部材１２２の上下端部が挿入されることで、右側開口部開閉部材１２２が前後方向に移動可能となるように枠体３０の右側面に取り付けられ、左側開口部開閉部材２３の上下端部が挿入されることで、左側開口部開閉部材２３が前後方向に移動可能となるように枠体３０の左側面に取り付けられる。
なお、上側開口部開閉部材２１が、枠体３０の上面に取り付けられることにより、上壁として働くことになる。
【０００５】
また、上側開口部開閉部材２１の上面の前部には、上方に突出する把持部２１ａが形成されており、右側開口部開閉部材１２２の右側面の前部には、右方に突出する把持部１２２ａが形成されており、左側開口部開閉部材２３の左側面の前部には、左方に突出する把持部２３ａが形成されている。
これにより、測定者は、把持部２１ａを手で掴んで上側開口部開閉部材２１を後方向にスライドさせることで、図７に示すように枠体３０の上側開口部を開けたり、図６に示すように前方向にスライドさせることで上側開口部を閉じたりすることができるようになっている。また、把持部１２２ａを手で掴んで右側開口部開閉部材１２２を後方向にスライドさせることで、図７に示すように枠体３０の右側開口部を開けたり、図６に示すように前方向にスライドさせることで右側開口部を閉じたりすることができるようになっている。さらに、把持部２３ａを手で掴んで左側開口部開閉部材２３を後方向にスライドさせることで、枠体３０の左側開口部を開けたり、前方向にスライドさせることで、左側開口部を閉じたりすることができるようになっている。
【０００６】
このような風防１２０が上方から電子天秤本体１１０に載置されることにより、風防１２０の内部に取付部付計量皿１４０が配置される。そして、測定者は、把持部１２２ａ等を手で掴んで後方向にスライドさせることで、右側開口部等を開けることにより、計量皿１４０ｂの載置面の中央部にへら若しくはスプーンを用いて被測定物を載置し、計量皿１４０ｂに被測定物を載置した後には、把持部１２２ａ等を手で掴んで後方向にスライドさせることで、右側開口部等を閉じることにより、パネル部１１０ｂに表示された測定結果を確認している。
【先行技術文献】
【特許文献】
【０００７】
【特許文献１】特開平９−４３０４１号公報
【発明の概要】
【発明が解決しようとする課題】
【０００８】
しかしながら、非常に小さなものの測定、又は、粉等の量りとり（小さなスプーン（スパチュラを用いて粉を計量皿に載せる）測定を行う測定者は、面積Ｄｅ×Ｄｆ（例えば、１３ｃｍ×２２．５ｃｍ＝２９２．５ｃｍ２）の右側開口部等を開く必要があり、その後、パネル部１１０ｂに表示された測定結果を確認することになるが、右側開口部等が開かれた状態のときには、風防１２０の内部への空気の流れが存在するので、右側開口部等が閉じられた後でも、風防１２０の内部の雰囲気状態が安定化されるまでに、時間がかかるという問題があった。
さらに、計量皿１４０ｂの載置面の中央部に被測定物を載置するために、へら若しくはスプーン（スパチュラ）を握った測定者の手が、右側開口部等を介して風防１２０の内部へ入ると、風防１２０の内部の空気が温まる。このことは、風防１２０の内部の熱平衡を乱し、風防１２０の内部の空気の移動につながる。その結果、計量皿１４０ｂに被測定物を載置し、右側開口部等が閉じられた後でも、風防１２０の内部の雰囲気状態が安定化されるまでに、時間がかかるという問題があった。
【０００９】
また、多量の被測定物を計量するために、直径Ｄｄ（例えば、８〜９ｃｍ）の大計量皿と、面積Ｄｅ×Ｄｆ（例えば、１３ｃｍ×２２．５ｃｍ ＝２９２．５ｃｍ２）の右側開口部等を有する大型の風防とを備える電子天秤と、少量（例えば、０．１ｍｇ）の被測定物を計量するために、直径Ｄａ（例えば、３ｃｍ）の小計量皿と、面積Ｄｂ×Ｄｃ（例えば、４×５ｃｍ２）の右側開口部等を有する小型の風防とを備える電子天秤との二つの電子天秤を準備することも考えられるが、二つの電子天秤を準備するため、コストがかかる。
そこで、本発明は、多量の被測定物を計量するために使用可能な風防を用いても、少量の被測定物を計量する際には、風防（秤量室）の気流の乱れを軽減し、さらに計量皿の載置面の中央部に被測定物を載置するために、測定者の手が風防の内部へ入ることを防止することにより、風防の内部の雰囲気状態が安定化されるまでに必要とされる時間を短くすることができる電子天秤を提供することを目的とする。加えて、皿までのアクセスが近くなるため、作業性も向上することができる。
【課題を解決するための手段】
【００１０】
上記課題を解決するためになされた本発明の電子天秤は、上壁と当該上壁の周縁部から下方に向かって下設された側壁とを有し、当該側壁には大開口部と当該大開口部を開閉可能とする大開口部開閉部材とが形成されている風防と、秤量機構を有する電子天秤本体と、被測定物が載置される載置面を有する大計量皿と、前記電子天秤本体の上面と着脱可能とする取付部とを有する取付部付大計量皿と、前記風防が上方から電子天秤本体に載置されることにより、前記風防の内部に大計量皿が配置される電子天秤であって、大計量皿の載置面の面積より小さい面積の載置面を有する小計量皿を備え、前記側壁には、大開口部の面積より小さい面積の小開口部と当該小開口部を開閉可能とする小開口部開閉部材とが形成されているとともに、前記小計量皿は、前記風防の内部で小開口部近傍に配置されるように連結部材を介して取付部を有するようにしている。
【００１１】
ここで、「小開口部近傍」とは、上下方向と垂直となる面において、側壁で囲まれる面積の中心でない位置であり、その中心より小開口部に近くなる位置のことをいい、例えば、小計量皿の載置面の中央部と小開口部との距離が１〜２ｃｍ程度となることが好ましい。
本発明の電子天秤によれば、側壁には、小さい面積の小開口部が形成されるとともに、小開口部を開閉可能とする小開口部開閉部材が形成されている。また、小さい面積の載置面を有する小計量皿を備え、小計量皿は、風防の内部で小開口部近傍に配置されるように、電子天秤本体の上面に取り付けられる。
これにより、測定者は、小開口部開閉部材で小開口部を開ける。このとき、小開口部が開かれた状態であっても、小開口部は小さい面積となっているので、風防の内部への空気の流れがあまり生じない。そして、測定者は、小計量皿の載置面にへら若しくはスプーンを用いて被測定物を載置することなになるが、小計量皿は小開口部近傍に配置されるので、風防の内部へへら若しくはスプーンを握った手を入れることとなく、風防の内部へへら若しくはスプーンのみを入れて、小計量皿の載置面の中央部に被測定物を載置することができる。小計量皿に被測定物を載置した後には、小開口部開閉部材で小開口部を閉じることにより、表示された測定結果を確認することになる。
【発明の効果】
【００１２】
以上のように、本発明の電子天秤によれば、風防（秤量室）の気流の乱れを軽減し、さらに小計量皿の載置面の中央部に被測定物を載置するために、測定者の手が風防の内部へ入ることを防止することにより、風防の内部の雰囲気状態が安定化されるまでに必要とされる時間を短くすることができる。加えて、小計量皿までのアクセスが近くなるため、作業性も向上することができる。
【００１３】
（その他の課題を解決するための手段及び効果）
また、上記発明において、前記小計量皿の載置面の面積は、前記大計量皿の載置面の面積の１／２以下であるとともに、前記小開口部の面積は、前記大開口部の面積の１／２以下であるようにしてもよい。
そして、上記発明において、前記小開口部は、前記大開口部開閉部材に形成されているようにしてもよい。
本発明の電子天秤によれば、測定者の利き手である方向から、小計量皿の載置面にも大計量皿の載置面にも被測定物を載置することができるようになる。
さらに、上記発明において、前記上壁は四角形であり、前記側壁は前側壁と後側壁と右側壁と左側壁とを有し、前記右側壁に、前記大開口部と大開口部開閉部材とが形成されているようにしてもよい。
【図面の簡単な説明】
【００１４】
【図１】本発明に係る電子天秤の一例を示す平面図である。
【図２】図１に示す側面図である。
【図３】図１に示す側面図である。
【図４】図１に示すＡ−Ａ線の断面図である。
【図５】従来の風防を備える電子天秤の一例を示す平面図である。
【図６】図５に示す側面図である。
【図７】図５に示す側面図である。
【図８】図５に示すＢ−Ｂ線の断面図である。
【発明を実施するための形態】
【００１５】
以下、本発明の実施形態について図面を用いて説明する。なお、本発明は、以下に説明するような実施形態に限定されるものではなく、本発明の趣旨を逸脱しない範囲で種々の態様が含まれる。
【００１６】
図１は、本発明に係る電子天秤の一例を示す平面図であり、図２及び図３は、図１に示す側面図であり、図４は、図１に示すＡ−Ａ線の断面図である。なお、上述した電子天秤１０１と同様のものについては、同じ符号を付して、説明を省略することとする。
電子天秤１は、秤量機構等を有する電子天秤本体１０と、少量の被測定物が載置される取付部付小計量皿４０と、多量の被測定物が載置される取付部付大計量皿１４０と、気流の影響を防止する風防２０とを備える。
電子天秤本体１０は、扁平なハウジング１０ａと、ハウジング１０ａの上面の前部側に設けられたパネル部１０ｂと、ハウジング１０ａの上面の中央部に設けられた円錐形状の凸部１０ｃと、ハウジング１０ａの内部に収納された秤量機構（図示せず）とを備える。
円錐形状の凸部１０ｃには、水平方向に貫通する横棒部１０ｄが形成されている。これにより、凸部１０ｃが取付部付小計量皿４０の取付部４０ａの孔に挿入されることにより、取付部付小計量皿４０が、凸部１０ｃを軸として回転しないように電子天秤本体１０の上面に取り付けられるようになっている。
【００１７】
風防２０は、ガラス製の四角形の前側壁３０ａと、金属、ガラス又はプラスチック製の四角形の後側壁３０ｂと、前側壁３０ａの四隅と後側壁３０ｂの四隅との間で互いに平行に形成された四本のガイド柱部３０ｃとを有する枠体（側壁）３０と、ガラス製の四角形の上側大開口部開閉部材２１と、ガラス製の四角形の右側大開口部開閉部材２２と、ガラス製の四角形の左側大開口部開閉部材２３とを有する。
４本のガイド柱部３０ｃには、上側大開口部開閉部材２１と右側大開口部開閉部材２２と左側大開口部開閉部材２３とを前後方向にスライドさせることができる溝が形成されており、この溝に、上側大開口部開閉部材２１の左右端部が挿入されることで、上側大開口部開閉部材２１が前後方向に移動可能となるように枠体３０の上面に取り付けられ、右側大開口部開閉部材２２の上下端部が挿入されることで、右側大開口部開閉部材２２が前後方向に移動可能となるように枠体３０の右側面に取り付けられ、左側大開口部開閉部材２３の上下端部が挿入されることで、左側大開口部開閉部材２３が前後方向に移動可能となるように枠体３０の左側面に取り付けられる。
【００１８】
右側大開口部開閉部材２２の右側面の前部には、右方に突出する把持部２２ａが形成されており、中央部には、四角形の小開口部２２ｂと、ガラス製の四角形の小開口部開閉部材５０と、小開口部開閉部材５０を前後方向にスライドさせることができる２本の溝２２ｄとが形成されている。小開口部開閉部材５０の右側面の前部には、右方に突出する把持部５０ａが形成されるとともに、小開口部開閉部材５０の左側面の前部には、左方に突出するストッパ部５０ｂが形成されている。
これにより、測定者は、把持部２２ａを手で掴んで右側大開口部開閉部材２２を後方向にスライドさせることで、面積Ｄｅ×Ｄｆ（例えば、１３ｃｍ×２２．５ｃｍ ＝２９２．５ｃｍ２）の右側大開口部を開けたり、前方向にスライドさせることで右側大開口部を閉じたりすることができるようになっている。また、把持部５０ａを手で掴んで小開口部開閉部材５０を後方向にスライドさせることで、図３に示すように面積Ｄｂ×Ｄｃ（例えば、４×５ｃｍ２）の小開口部２２ｂを開けたり、図２に示すように前方向にスライドさせることで小開口部２２ｂを閉じたりすることができるようになっている。
【００１９】
取付部付小計量皿４０は、上方から視ると直径Ｄａ（例えば、３ｃｍ）の円形状の載置面を有する小計量皿４０ｂと、円錐形状の凸部１０ｃが挿入される孔を有する取付部４０ａと、小計量皿４０ｂと取付部４０ａとを所定の長さで水平方向に連結する連結部材４０ｃとを有する。連結部材４０ｃの一端部の上面には、小計量皿４０ｂが取り付けられるとともに、連結部材４０ｃの他端部の下面には、取付部４０ａが取り付けられている。これにより、電子天秤本体１０に取付部付小計量皿４０が取り付けられると、小計量皿４０ｂの載置面の中央部が小開口部２２ｂ近傍に配置されるようになっている。例えば、小計量皿４０ｂの載置面の中央部と小開口部２２ｂとの距離が１〜２  ｃｍとなる。よって、測定者は、風防２０の内部へへら若しくはスプーンを握った手を入れることとなく、風防２０の内部へへら若しくはスプーンのみを入れて、小計量皿４０ｂの載置面の中央部に被測定物を載置することができるようになっている。
【００２０】
ここで、電子天秤１を用いて少量の被測定物を計量する計量方法について説明する。まず、測定者は、電子天秤本体１０の凸部１０ｃに取付部付小計量皿４０を取り付ける。次に、風防２０を上方から電子天秤本体１０に載置する。このとき、小計量皿４０ｂが、風防２０の内部で小開口部２２ｂ近傍に配置されることになる。次に、測定者は、把持部５０ａを手で掴んで後方向に小開口部開閉部材５０をスライドさせることで、図３に示すように小開口部２２ｂを開ける。このとき、小開口部２２ｂが開かれた状態であっても、小開口部２２ｂは小さい面積となっているので、秤量室（風防内）の気流の乱れを大幅に軽減することができる。次に、測定者は、小計量皿４０ｂにへら若しくはスプーンを用いて被測定物を載置する。このとき、測定者は、小計量皿４０ｂの中央部が小開口部２２ｂ近傍に配置されるので、風防２０の内部へへら若しくはスプーンを握った手を入れることとなく、小計量皿４０ｂの載置面の中央部に被測定物を載置することができる。次に、把持部５０ａを手で掴んで小開口部開閉部材５０を前方向にスライドさせることで、図２に示すように小開口部２２ｂを閉じることにより、パネル部１０ｂに表示された測定結果を確認することで、目的重量の被測定物を得る。
【００２１】
以上のように、本発明の電子天秤１によれば、小開口部２２ｂが開かれた状態のときに、風防２０の内部への空気の流れをできるだけ防止し、さらに小計量皿４０ｂの中央部に被測定物を載置するために、測定者の手が風防２０の内部へ入ることを防止することにより、風防２０の内部の雰囲気状態が安定化されるまでに必要とされる時間を短くすることができる。
なお、電子天秤１を用いて多量の被測定物を計量する場合には、測定者は、電子天秤本体１０の凸部１０ｃに取付部付大計量皿１４０を取り付ける。次に、風防２０を上方から電子天秤本体１０に載置する。次に、測定者は、把持部２２ａを手で掴んで右側大開口部開閉部材２２を後方向にスライドさせることで、右側大開口部を開けることにより、大計量皿１４０ｂにへら若しくはスプーンを用いて被測定物を載置する。次に、把持部２２ａを手で掴んで右側大開口部開閉部材２２を前方向にスライドさせることで、右側大開口部を閉じることにより、パネル部１０ｂに表示された測定結果を確認することで、目的重量の被測定物を得ることになる。
【産業上の利用可能性】
【００２２】
本発明は、気流の影響を防止する風防を備える電子天秤に好適に利用できる。
【符号の説明】
【００２３】
１、１０１  電子天秤
１０  電子天秤本体
２０、１２０  風防
２１  上側大開口部開閉部材（上壁）
２２  右側大開口部開閉部材
２２ｂ  小開口部
２３  左側大開口部開閉部材
３０  枠体（側壁）
３０ａ  前側壁
３０ｂ  後側壁
４０ａ、１４０ａ  取付部
４０ｂ  小計量皿
４０ｃ  連結部材
５０  小開口部開閉部材
１４０ｂ  大計量皿
【図１】
2010243288.tif 000003
【図２】
2010243288.tif 000004
【図３】
2010243288.tif 000005
【図５】
2010243288.tif 000006
【図６】
2010243288.tif 000007
【図７】
2010243288.tif 000008
【図４】
2010243288.tif 000009
【図８】
2010243288.tif 000010